(57)【要約】【課題】テレビ番組中の一定時間の映像の内容を表すキーワードをリアルタイムに送信して、その映像を録画装置で自動録画し、その映像を録画し損なうことを防止した放送システムを提供する。【解決手段】放送局２００の多重化部２０２は、テレビ番組中の一定時間の映像４０の内容を表す第１のキーワードを、その一定時間の映像より前の映像信号（テレビ放送信号）に多重化する。第１のキーワードは、例えばプレゼントの応募である。一定時間は、例えば３０秒である。そして、送信部２０３は、多重化部２０２によって多重化されたテレビ放送信号を送信する。送信されたテレビ放送信号は、録画装置１で受信され、図４に示す映像（場面）４０を含むテレビ番組がモニタ４において表示される。そして、第１のキーワードと予め指定された第２のキーワードとが一致すると、録画装置１は、そのテレビ放送信号をＨＤＤ１２に自動録画する。【選択図】  図４
2008193591.tif 000002
【特許請求の範囲】
【請求項１】
テレビ番組を示すテレビ放送信号を送信する放送局と、
前記放送局から送信されてきた前記テレビ放送信号を受信する受信手段と、前記受信手段で受信された前記テレビ放送信号を自装置外部に出力する出力手段と、を有する録画装置と、
前記録画装置から出力された前記テレビ放送信号を処理して前記テレビ番組を画面に表示する表示器と、を備えた放送システムにおいて、
前記放送局は、
前記テレビ番組中の一定時間の映像の内容を表す第１のキーワードを、その一定時間の映像より前の前記テレビ放送信号に多重化する多重化手段であって、前記一定時間の映像の終了を表す終了情報を、前記一定時間の映像より後の前記テレビ放送信号に多重化する多重化手段と、
前記多重化手段によって多重化された前記テレビ放送信号を送信する送信手段と、を有し、
前記録画装置は、
予め指定された第２のキーワードを記憶する記憶手段と、
前記受信手段で受信された前記テレビ放送信号を前記出力手段が前記表示器に出力している間、そのテレビ放送信号の中の前記第１のキーワードと前記第２のキーワードとを照合する録画手段と、を有し、
前記録画手段は、前記第１のキーワードと前記第２のキーワードとが一致すると、そのテレビ放送信号をメディアに録画し、
そのテレビ放送信号の前記メディアへの録画中、そのテレビ放送信号の中に前記終了情報が含まれているかどうかを監視し、
前記終了情報が含まれていることを発見すると、前記テレビ放送信号の前記メディアへの録画を停止する放送システム。
【請求項２】
テレビ番組を示すテレビ放送信号を送信する放送局と、
前記放送局から送信されてきた前記テレビ放送信号を受信する受信手段と、前記受信手段で受信された前記テレビ放送信号を自装置外部に出力する出力手段と、を有する録画装置と、
前記録画装置から出力された前記テレビ放送信号を処理して前記テレビ番組を画面に表示する表示器と、を備えた放送システムにおいて、
前記放送局は、
前記テレビ番組中の一定時間の映像の内容を表す第１のキーワードを、その一定時間の映像より前の前記テレビ放送信号の垂直帰線消去期間に多重化する多重化手段と、
前記多重化手段によって多重化された前記テレビ放送信号を送信する送信手段と、を有し、
前記録画装置は、
予め指定された第２のキーワードを記憶する記憶手段と、
前記受信手段で受信された前記テレビ放送信号を前記出力手段が前記表示器に出力している間、そのテレビ放送信号の中の前記第１のキーワードと前記第２のキーワードとを照合する録画手段と、を有し、
前記録画手段は、前記第１のキーワードと前記第２のキーワードとが一致すると、そのテレビ放送信号をメディアに録画する放送システム。
【請求項３】
前記多重化手段は、前記一定時間の映像の終了を表す終了情報を、前記一定時間の映像より後の前記テレビ放送信号に多重化し、
前記録画手段は、
前記受信手段で受信された前記テレビ放送信号の前記メディアへの録画中、そのテレビ放送信号の中に前記終了情報が含まれているかどうかを監視し、
前記終了情報が含まれていることを発見すると、前記テレビ放送信号の前記メディアへの録画を停止する請求項２に記載の放送システム。
【請求項４】
前記多重化手段は、前記テレビ放送信号の垂直帰線消去期間に、前記第１のキーワード又は前記終了情報を多重化する請求項２又は３に記載の放送システム。
【請求項５】
放送局から送信されてきたテレビ放送信号を受信する受信手段と、
前記受信手段で受信された前記テレビ放送信号を自装置外部に出力する出力手段と、を備え、出力された前記テレビ放送信号を処理してテレビ番組を画面に表示する表示器に接続される録画装置において、
予め指定されたキーワードを記憶する記憶手段と、
前記受信手段で受信された前記テレビ放送信号を前記出力手段が前記表示器に出力している間、そのテレビ放送信号の中に前記キーワードが含まれているかどうかを監視する録画手段と、を備え、
前記録画手段は、前記受信手段で受信された前記テレビ放送信号の中に前記キーワードを発見すると、そのテレビ放送信号をメディアに録画する録画装置。
【発明の詳細な説明】
【技術分野】
【０００１】
本発明は、テレビ放送信号を送信し、この信号を受信してメディアに録画する放送システム、及びこのシステムに適用される録画装置に関するものである。
【背景技術】
【０００２】
映像および音声の情報が含まれるテレビジョン放送において、テレビ番組を記録／再生する録画装置が広く普及している。このような録画装置は、例えば、テープ状記録媒体、所謂ビデオテープに番組を記録するＶＴＲ（Vide Tape Recorder）である。また、近年では、磁気ディスクや光ディスクなどのディスク状記録媒体に記録するハードディスクレコーダやＤＶＤ（Digital Versatile Disc）レコーダ、Blu-ray Disc（商品名）レコーダなどの録画装置が開発され、普及しつつある。
【０００３】
これらの録画装置には、ユーザの利便性を向上するために、電子番組表（ＥＰＧ: Electronic Programming Guide）を利用した録画予約機能が設けられている。
例えば、特許文献１では、キーワードを予め登録しておき、そのキーワードと放送局から配信されてくるＥＰＧデータとを照らし合わせ、一致するテレビ番組を自動的に録画する録画装置が提案されている。この録画装置において、ユーザは、テレビ番組を録画したい場合、所望のテレビ番組に関するキーワードを登録していた。
【特許文献１】特開２００５−３０２１１７公報
【発明の開示】
【発明が解決しようとする課題】
【０００４】
しかしながら、ＥＰＧは、テレビ番組に関する表であって、テレビ番組中の一定時間の映像に関する表ではない。そのため、録画していないテレビ番組を視聴中に、録画したい映像が急に出てきた場合、例えばプレゼントの応募に関する映像が画面に急に出てきた場合、ユーザはその瞬間に手動で録画するしかなかった。
よって、従来の録画装置では、この場合に手動録画が間に合わず、録画し損なうことも多かった。従って、ユーザの使い勝手が悪かった。
【０００５】
本発明はこのような従来の課題を解決しようとするものであり、テレビ番組中の一定時間の映像の内容を表すキーワードをリアルタイムに送信して、その映像を録画装置で自動録画し、その映像を録画し損なうことを防止した放送システムを提供することを目的とする。
【課題を解決するための手段】
【０００６】
本発明の放送システムは、前記課題を解決するために以下の構成を備えている。
【０００７】
（１）テレビ番組を示すテレビ放送信号を送信する放送局と、
前記放送局から送信されてきた前記テレビ放送信号を受信する受信手段と、前記受信手段で受信された前記テレビ放送信号を自装置外部に出力する出力手段と、を有する録画装置と、
前記録画装置から出力された前記テレビ放送信号を処理して前記テレビ番組を画面に表示する表示器と、を備えた放送システムにおいて、
前記放送局は、
前記テレビ番組中の一定時間の映像の内容を表す第１のキーワードを、その一定時間の映像より前の前記テレビ放送信号に多重化する多重化手段と、
前記多重化手段によって多重化された前記テレビ放送信号を送信する送信手段と、を有し、
前記録画装置は、
予め指定された第２のキーワードを記憶する記憶手段と、
前記受信手段で受信された前記テレビ放送信号を前記出力手段が前記表示器に出力している間、そのテレビ放送信号の中の前記第１のキーワードと前記第２のキーワードとを照合する録画手段と、を有し、
前記録画手段は、前記第１のキーワードと前記第２のキーワードとが一致すると、そのテレビ放送信号をメディアに録画する。
【０００８】
この構成において、テレビジョン放送の方式は、例えば地上波アナログ放送又は地上波デジタル放送である。表示器は、例えばテレビジョン、モニタである。メディアは、例えばハードディスクである。一定時間は、例えば３０秒である。一定時間の映像は、ユーザが録画したい映像であり、例えばプレゼントの応募に関する映像である。第１のキーワード及び第２のキーワードは、例えば「プレゼントの応募」である。
【０００９】
ここで、放送局がテレビ番組を放送する第１の場面と、ユーザがキーワードを録画装置に登録する第２の場面と、録画していない状態で、テレビ番組をユーザが表示器で視聴する第３の場面と、に分けて説明する。
【００１０】
まず、第１の場面において、多重化手段は、第１のキーワードを、テレビジョン放送の方式に応じて多重化する。ここで、一定時間の映像より前の映像信号に多重化する理由は、キーワードの一致を録画装置が検知してから実際に録画が開始されるまでの時間（タイムラグ）を考慮したためである。
次に、第２の場面において、ユーザは第２のキーワードを録画装置の記憶手段に予め登録しておく。
最後に、録画していない状態で、テレビ番組をユーザが表示器で視聴する第３の場面となる。テレビ番組の視聴中、録画手段は、第１のキーワードと第２のキーワードとを照合する。即ち、テレビ放送信号に、第２のキーワードがあるかどうかを監視する。そして、録画したい映像が表示器の画面に出る前に、例えば図４に示すプレゼントの応募に関する映像が表示器の画面に出る前に、第１のキーワードと第２のキーワードとが一致する。そして、第１のキーワードと第２のキーワードとが一致すると、録画手段は、録画を開始する。
このように、録画したい映像が急に出てきた場合でも、録画装置は、その映像を自動録画する。これにより、ユーザが録画したい映像を録画し損なうことを防止できる。従って、ユーザの使い勝手が向上する。
【００１１】
（２）前記多重化手段は、前記一定時間の映像の終了を表す終了情報を、前記一定時間の映像より後の前記テレビ放送信号に多重化し、
前記録画手段は、
前記受信手段で受信された前記テレビ放送信号の前記メディアへの録画中、そのテレビ放送信号の中に前記終了情報が含まれているかどうかを監視し、
前記終了情報が含まれていることを発見すると、前記テレビ放送信号の前記メディアへの録画を停止する。
【００１２】
この構成では、第１の場面と第３の場面とを想定している。
まず、第１の場面において、多重化手段は、終了情報を、テレビジョン放送の方式に応じて多重化する。ここで、終了情報を録画手段が発見してから録画が停止されてしまうまでの時間が非常に短い場合がある。この場合に、終了情報を一定時間の映像を示す映像信号に多重化した場合、録画装置は、その一定時間の映像を完全に録画することができないおそれがある。一定時間の映像が欠損してしまう恐れがある。
そこで、その一定時間の映像を完全に録画するため、一定時間の映像より後の映像信号に多重化している。
そして、第３の場面において、終了情報を発見すると、即ち録画したい映像の録画が済むと、録画手段は、録画を停止する。
このように、録画装置は、録画を自動的に停止する。そのため、録画を停止させる停止キーをユーザが操作する手間を省くことができる。従って、ユーザの使い勝手が一層向上する。
【００１３】
（３）前記多重化手段は、前記テレビ放送信号の垂直帰線消去期間に、前記第１のキーワード又は前記終了情報を多重化する。
【００１４】
この構成において、テレビジョン放送の方式は、地上波アナログ放送である。
多重化手段は、クローズドキャプションとして利用される期間（ＶＢＩ）に、第１のキーワード（文字信号）を多重化する。
【００１５】
また、本発明の録画装置は、前記課題を解決するために以下の構成を備えている。
【００１６】
（４）放送局から送信されてきたテレビ放送信号を受信する受信手段と、
前記受信手段で受信された前記テレビ放送信号を自装置外部に出力する出力手段と、を備え、出力された前記テレビ放送信号を処理してテレビ番組を画面に表示する表示器に接続される録画装置において、
予め指定されたキーワードを記憶する記憶手段と、
前記受信手段で受信された前記テレビ放送信号を前記出力手段が前記表示器に出力している間、そのテレビ放送信号の中に前記キーワードが含まれているかどうかを監視する録画手段と、を備え、
前記録画手段は、前記受信手段で受信された前記テレビ放送信号の中に前記キーワードを発見すると、そのテレビ放送信号をメディアに録画する。
【００１７】
この構成における録画装置は上記（１）の放送システムに用いられる。
これにより、上記（１）と同様の効果を奏する。
【発明の効果】
【００１８】
この発明によれば、ユーザが録画したい映像を録画し損なうことを防止できる。従って、ユーザの使い勝手が向上する。
【発明を実施するための最良の形態】
【００１９】
以下、本発明の実施形態である放送システムについて説明する。
【００２０】
図１は、本発明の実施形態である放送システムの放送局の構成を示すブロック図である。図２は、本発明の実施形態である放送システムの録画装置およびモニタの構成を示すブロック図である。本発明の実施形態である放送システムは、テレビ番組を示すテレビ放送信号を送信する放送局２００と、放送局２００から送信されてきたテレビ放送信号を受信し、テレビ放送信号を自装置外部に出力する録画装置１と、録画装置１から出力されたテレビ放送信号を処理してテレビ番組を画面に表示するモニタ４と、から構成される。
なお、モニタ４は、音声信号を処理して音声を放音するスピーカを内臓する。
【００２１】
図１に示すように、放送局２００は、テレビ番組を示すテレビ放送信号を生成するＴＶ主整室２０１と、文字信号を生成する情報生成部２０４と、テレビ番組を示すテレビ放送信号に、情報生成部２０４で生成された文字信号を多重化する多重化部２０２と、テレビ放送信号を送信する送信部２０３と、を備える。
【００２２】
ＴＶ主整室２０１は、一般のテレビ放送と同じ方法で制作されたテレビ番組の音声信号をそのまま送信部２０３に出力する。一方、ＴＶ主整室２０１は、同テレビ番組の映像信号を多重化部２０２に出力する。
【００２３】
多重化部２０２は、テレビ番組を示すテレビ放送信号の内の映像信号のＶＢＩ（ＶｅｒｔｉｃａｌＢｌａｎｋｉｎｇ Ｉｎｔｅｒｖａｌ）に、情報生成部２０４で生成された文字信号を多重化する。
【００２４】
図３は、地上波アナログ放送のＶＢＩ区間を利用して伝送される文字信号のデータ構造の一例を示す図である。この電子番組表のデータ構造は、文字多重放送用に規定されている規格を用いたものである。図３Ａは、フィジカル層（第１階層）を示し、図３Ｂは、リンク層（第２階層）を示し、図３Ｃは、ネットワーク層（第３階層）を示している。
【００２５】
図３Ａに示すように、ＶＢＩ区間を利用したデータ伝送には、１走査線毎に２９６ビットのデータラインが使用される。
なお、ＶＢＩのデータ伝送用として使用されるのは、水平走査線番号の第１０〜第１３ラインと第２７３〜第２７６ラインである。
【００２６】
図３Ｂに示すように、データラインの２９６ビットの先頭から２４ビットは、同期ビットとして使用され、残りの２７２ビットがデータパケットとして使用される。同期ビットの先頭から１６ビットは、クロックライン（ＣＲ）ビット同期符号として使用され、残りの８ビットは、フレーミングコード（ＦＣ）バイト同期符号として使用される。データパケットは、短縮化差集合巡回符号（２７２，１９０）であり、１９０ビットのデータブロックと８２ビットのチェック符号（誤り訂正用）とで構成されている。
【００２７】
図３Ｃに示すように、データブロックの先頭から１４ビットは、ＬＣＩ２、ＳＣＣ、ＣＩ、ＤＴＣからなるパケットプリフィックス（ＰＦ）として使用されており、残りの１７６ビット（２２バイト）がデータブロックである。ＬＣＩ２は、論理チャンネル識別２の符号であり、ＳＣＣは、スクランブル制御用符号であり、ＣＩは、連続性指標の符号であり、ＤＴＣは、データグループ制御用の符号（ＴＤＦ先頭フラグとＥＤＦ終端フラグ）である。図３Ｃに示すデータブロックの１７６ビット（２２バイト）が、文字信号や電子番組表データなどのデータ伝送として使用することができる。
【００２８】
最後に、送信部２０３は、入力された映像信号と音声信号とを合成し、テレビ放送信号として送信する。このテレビ放送信号は、鉄塔アンテナなどを介して録画装置１のアンテナ２に伝送される。
【００２９】
また、図２に示すように、録画装置１は、外部のアンテナ２に接続されたＴＶ（テレビ）チューナ５と、Ａ／Ｄ（アナログ／デジタル）変換部６と、ＭＰＥＧ（ＭｏｔｉｏｎＰｉｃｔｕｒｅ ＥｏｃｏｄｉｎｇＧｒｏｕｐ）エンコーダ７と、記録用バッファ８と、テレビ放送信号からキーワード（文字信号）を抽出するスライサー９と、録画装置１の各部の動作を制御する制御部１０と、ＨＤＤコントローラ１１と、ＨＤＤ（ハードディスクドライブ）１２と、リモコン３からの信号を受信するリモコンＩ／Ｆ（インターフェース）１６と、記憶部１９とを有する。また、録画装置１は、読出し用バッファ１５と、ＭＰＥＧデコーダ１４と、モニタ４にアナログの映像音声信号を出力するＤ／Ａ（デジタル／アナログ）変換部１７と、ＲＡＭ１３とを有する。
【００３０】
ＴＶチューナ５は、アンテナ２を介してテレビ放送信号を受信する。ＴＶチューナ５は、指定されたチャンネルに同調する機能を有する。さらに、ＴＶチューナ５は、同調したチャンネルのテレビ放送信号を復調し、映像信号及び音声信号を取り出し、Ａ／Ｄ変換部６へ出力する。
【００３１】
図２に示すスライサー９は、テレビ放送信号のＶＢＩ（ＶｅｒｔｉｃａｌＢｌａｎｋｉｎｇ Ｉｎｔｅｒｖａｌ）に重畳された文字信号の抽出を行う。そして、スライサー９は、抽出した文字信号を制御部１０に出力する。
【００３２】
Ａ／Ｄ変換部６は、ＴＶチューナ５からのアナログ映像信号及び音声信号をデジタル信号へ変換する。
【００３３】
ＭＰＥＧエンコーダ７は、デジタル化されたデジタル映像信号及び音声信号に対しＭＰＥＧによる圧縮処理を行う。そして、ＭＰＥＧエンコーダ７は、圧縮データであるビットストリームをＨＤＤコントローラ１１に記録用バッファ８を介して出力する。
【００３４】
記録用バッファ８は、ビットストリームをＨＤＤ１２に書き込む際に、ＭＰＥＧエンコーダ７が出力するビットストリームが欠けることなく記録できるように設けられたバッファメモリである。
【００３５】
ＨＤＤコントローラ１１は、ＨＤＤ１２を制御するためのコントローラである。ＨＤＤコントローラ１１は、通常時の動作として、ビットストリームを記録用バッファ８から読出し用バッファ１５へスルーする。そして、ＨＤＤコントローラ１１は、制御部１０から録画が指示された時、タイムシフト再生を実行する。
ＨＤＤコントローラ１１は、タイムシフト再生中において、ＨＤＤ１２によるビットストリームの書き込み及び読出しを制御する。ここで、タイムシフト再生機能とは、録画しながら再生する機能をいい、タイムシフト再生は、別名追っかけ再生とも呼ばれている。タイムシフト再生中の動作について詳述すると、エンコーダ７から出力された映像音声データは、バッファメモリ８において一時格納された後、順次読出されて、ＨＤＤ１２に入力する。ＨＤＤ１２は、ＭＰＥＧエンコーダ７が出力するビットストリームをＨＤ（ハードディスク）に記録するとともに、記録したデータを順次読出して出力する。ＨＤＤ１２から出力された映像音声データは、バッファメモリ１５において一時格納された後、順次読出されてデコーダ１４に入力する。
【００３６】
ＭＰＥＧデコーダ１４は、ＭＰＥＧ圧縮されたビットストリームの復号化を行い、非圧縮なデジタル映像信号及び音声信号に変換する。
【００３７】
読出し用バッファ１５は、ＭＰＥＧデコーダ１４が必要とするビットストリームを予め先読みし蓄えておくことで復号処理におけるデータのアンダーフローの発生を防止するために設けられたバッファメモリである。
【００３８】
Ｄ／Ａ変換部１７は、デジタル映像信号をモニタ４が表示可能なアナログ映像信号に変換する。また、Ｄ／Ａ変換部１７は、デジタル音声信号をモニタ４が表示可能なアナログ音声信号に変換する。
【００３９】
これにより、ユーザは、モニタ４において、アナログの映像信号に基づく映像と、アナログの音声信号に基づく音声と、を視聴する（後述の図４参照）。
【００４０】
リモコンＩ／Ｆ１６は、リモコン３からの制御信号を受け、制御部１０に伝える。リモコン３には、ユーザからの操作入力を受け付ける複数のキーが設けられている。複数のキーには、録画装置１に対するキーワードの登録を受け付ける登録キーと、そのキーワードが録画装置１に伝送された際に自動的にタイムシフト再生するためのキーワード録画キーと、録画の停止を受け付ける停止キーと、がある。このキーワード録画キーについて、後述の図６で詳述する。
【００４１】
制御部１０は、例えばＣＰＵやマイクロコンピュータで構成される。制御部１０には、制御プログラムを記憶する記憶部１９と、制御プログラムで処理されるデータを展開するためのワークフィールドとしてのＲＡＭ１３と、が接続されている。
【００４２】
ここで、放送局２００がテレビ番組を放送する第１の場面と、ユーザがキーワードを録画装置１に登録する第２の場面と、録画していない状態で、放送局２００から放送されるテレビ番組をユーザがモニタ４で視聴する第３の場面と、に分けて説明する。
まず、第１の場面について説明する。
【００４３】
図４は、モニタ４に表示される映像を示す図である。ここで、図１に示す放送局２００は、例えば図４に示す映像（場面）４０を含むテレビ番組を放送する際、次の処理を行う。情報生成部２０４は、テレビ番組中の一定時間の映像の内容を表す第１のキーワードを生成する。第１のキーワードは、例えばプレゼントの応募である。一定時間は、例えば３０秒である。そして、放送局２００の多重化部２０２は、第１のキーワードを、その一定時間の映像より前の映像信号（テレビ放送信号）に多重化する。ここで、一定時間の映像より前の映像信号に多重化する理由は、後述の図６のＳ３においてキーワードの一致を録画装置１が検知してから、後述の図６のＳ４において実際に録画が開始されるまでの時間（タイムラグ）を考慮したためである。
【００４４】
さらに、情報生成部２０４は、一定時間の映像の終了を表す終了情報を生成する。多重化部２０２は、終了情報を、一定時間の映像より後の映像信号（テレビ放送信号）に多重化する。ここで、終了情報を録画装置１が検知してから録画が停止されてしまうまでの時間が非常に短い場合がある。この場合に、終了情報を一定時間の映像を示す映像信号に多重化した場合、録画装置１は、その一定時間の映像を完全に録画することができないおそれがある。一定時間の映像が欠損してしまう恐れがある。
【００４５】
そこで、その一定時間の映像を完全に録画するため、一定時間の映像より後の映像信号に多重化している。
【００４６】
最後に、送信部２０３は、多重化部２０２によって多重化されたテレビ放送信号を送信する。送信されたテレビ放送信号は、録画装置１で受信され、図４に示す映像（場面）４０を含むテレビ番組がモニタ４において表示される。
【００４７】
なお、この実施形態では、地上波アナログ放送であるため、第１のキーワード及び終了情報をＶＢＩに多重化している。しかし、地上波ディジタル放送等である場合、番組配列情報（SI:Service Information）を用いて、第１のキーワード及び終了情報を放送局から録画装置に伝送しても良い。この場合、多重化部２０２は、番組配列情報に、第１のキーワード及び終了情報を多重化（挿入）し、送信部２０３に出力する。そして、録画装置は、テレビ放送信号から第１のキーワード及び終了情報を抽出する。
【００４８】
次に、ユーザがキーワードを録画装置１に登録する第２の場面について説明する。
図５は、記憶部１９の記憶内容を示す図である。ユーザは、リモコン３の登録キーによって、第２のキーワードを入力する。例えば「プレゼントの応募」というキーワードを入力する。第２のキーワードが指定されると、制御部１０は、第２のキーワードを記憶部１９に記録する。これにより、録画装置１の記憶部１９への第２のキーワードの登録が完了する（図５参照）。
【００４９】
最後に、録画していない状態で、放送局２００から放送されるテレビ番組をユーザがモニタ４で視聴する第３の場面について説明する。
【００５０】
図６は、本発明の実施形態である放送システムの録画装置の制御部が行う動作を示すフローチャートである。この動作は、テレビ番組の視聴中に、即ち、録画装置１のチューナ５で受信されたテレビ放送信号をＤ／Ａ変換部１７がモニタ４に出力している間に、ユーザがキーワード録画キーを押下した時の動作である。又は、この動作は、録画装置１の電源オン時の動作である。
【００５１】
キーワード録画キーが押下されると、又は、録画装置１の電源がオンされると、制御部１０は、第２のキーワードを記憶部１９から読取る（Ｓ１）。
【００５２】
制御部１０は、テレビ放送信号のＶＢＩの監視を開始する（Ｓ２）。このＶＢＩには、第１の場面において、第１のキーワードが多重化される。
【００５３】
制御部１０は、録画装置１のチューナ５で受信されたテレビ放送信号をＤ／Ａ変換部１７がモニタ４に出力している間、そのテレビ放送信号の中の第１のキーワードと第２のキーワードとを照合する（Ｓ３）。即ち、テレビ放送信号のＶＢＩに、Ｓ１で読取った第２のキーワードがあるかどうかを判定している。この判定は、スライサー９からの信号を確認することにより行われる。
なお、図２に示すスライサー９は、テレビ放送信号のＶＢＩ（ＶｅｒｔｉｃａｌＢｌａｎｋｉｎｇ Ｉｎｔｅｒｖａｌ）に重畳された第１のキーワードの抽出を行う。スライサー９は、第１のキーワードを制御部１０に出力する。
【００５４】
ここで、Ｓ３では、録画していないテレビ番組をユーザが視聴している状態となっている。また、ユーザは、第２の場面で、録画したい映像を表す第２のキーワードを録画装置１に登録済みの状態とする（図５参照）。そして、録画したい映像がモニタ４の画面に出る前に、例えば図４に示すプレゼントの応募に関する映像４０がモニタ４の画面に出る前に、第１のキーワードと第２のキーワードとが一致する。
【００５５】
制御部１０は、第１のキーワードと第２のキーワードとが一致すると（Ｓ３）、そのテレビ放送信号をＨＤＤ１２に録画するようＨＤＤコントローラ１１に指示する（Ｓ４）。制御部１０から録画が指示されると、ＨＤＤコントローラ１１は、上述のタイムシフト再生を実行する。これにより、ＨＤＤ１２は、ＭＰＥＧエンコーダ７が出力するビットストリームをＨＤ（ハードディスク）に記録するとともに、記録したデータを順次読出してＭＰＥＧエンコーダ７に出力する。
【００５６】
このように、録画したい映像４０が急に出てきた場合でも、録画装置１は、その映像４０を自動録画する。これにより、ユーザが録画したい映像４０を録画し損なうことを防止できる。従って、ユーザの使い勝手が向上する。
【００５７】
制御部１０は、チューナ５で受信されたテレビ放送信号のＨＤへの録画中、そのテレビ放送信号の中に終了情報が含まれているかどうかを監視する（Ｓ５）。この終了情報は、上記第１の場面で、テレビ放送信号のＶＢＩに多重化される情報である。
【００５８】
制御部１０は、終了情報が含まれていることを発見すると、テレビ放送信号のＨＤへの録画を停止するようＨＤＤコントローラ１１に指示する（Ｓ６）。そして、制御部１０は、本処理を終了する。これにより、ＨＤＤコントローラ１１は、上述のタイムシフト再生を停止し、上述の通常時の動作を行う。
【００５９】
このように、録画したい映像４０の録画が済んだ後、録画装置１は、録画を自動的に停止する。これにより、録画を停止させる停止キーをユーザが操作する手間を省くことができる。従って、ユーザの使い勝手が一層向上する。
【図面の簡単な説明】
【００６０】
【図１】本発明の実施形態である放送システムの放送局の構成を示すブロック図
【図２】本発明の実施形態である放送システムの録画装置およびモニタの構成を示すブロック図
【図３】地上波アナログ放送のＶＢＩ区間を利用して伝送される文字信号のデータ構造の一例を示す図
【図４】モニタ４に表示される映像を示す図
【図５】記憶部１９の記憶内容を示す図
【図６】本発明の実施形態である放送システムの録画装置の制御部が行う動作を示すフローチャート
【符号の説明】
【００６１】
１−録画装置
２−アンテナ
３−リモコン
４−モニタ
５−ＴＶチューナ
６−Ａ／Ｄ変換部
７−ＭＰＥＧエンコーダ
８−記録用バッファ
９−スライサー
１０−制御部
１１−ＨＤＤコントローラ
１２−ＨＤＤ
１３−ＲＡＭ
１４−ＭＰＥＧデコーダ
１５−バッファメモリ
１７−Ｄ／Ａ変換部
１９−記憶部
４０−映像
２００−放送局
２０１−ＴＶ主整室
２０２−多重化部
２０３−送信部
【図１】
2008193591.tif 000003
【図２】
2008193591.tif 000004
【図３】
2008193591.tif 000005
【図４】
2008193591.tif 000006
【図５】
2008193591.tif 000007
【図６】
2008193591.tif 000008